(57)【要約】【課題】  ユーザーの意図を読み取って画面上に表示される一部の画像を拡大表示することにより、視認性及び操作性を向上したタッチスクリーンの入力受信方法と、該方法を実施するためのタッチスクリーン付き電子装置と、該方法を実施するためのタッチスクリーンの入力システムとを提供する。【解決手段】  画像を表示できるタッチスクリーンの入力受信方法であって、ユーザーが前記タッチスクリーン上の所定の表示区画にタッチしたことを感知すると該表示区画に対応する所定範囲の画像を拡大表示するステップと、該拡大した所定範囲の画像を表示した状態でユーザーの確定命令を待つステップとを具備する。【選択図】図１
2009129443.tif 000002
【特許請求の範囲】
【請求項１】
画像を表示できるタッチスクリーンの入力受信方法であって、
ユーザーが前記タッチスクリーン上の所定の表示区画にタッチしたことを感知すると該表示区画に対応する所定範囲の画像を拡大表示するステップと、
該拡大した所定範囲の画像を表示した状態でユーザーの確定命令を待つステップと、
を具備したことを特徴とするタッチスクリーンの入力受信方法。
【請求項２】
画像を表示できるタッチスクリーンの入力受信方法であって、
前記タッチスクリーンの画面中に入力待ち受け箇所が表示されている場合、ユーザーが前記入力待ち受け箇所にタッチしたことを感知すると該タッチした箇所に対応する所定範囲の画像を拡大表示するステップと、
該拡大した画像を表示した状態でユーザーの確定命令を待つステップと、
を具備したことを特徴とするタッチスクリーンの入力受信方法。
【請求項３】
前記入力待ち受け箇所が前記タッチスクリーンの画面中に表示されているキーボードである場合、ユーザーが前記キーボードに表示されている第１の所定キーの所定箇所にタッチしたことを感知すると該第１の所定キーに対応するキーの画像を拡大サイズで表示してから、該拡大したキーの画像を表示した状態でユーザーの確定命令を待つことを特徴とする請求項２に記載のタッチスクリーンの入力受信方法。
【請求項４】
ユーザーの前記第１の所定キーへのタッチに対応して、該第１の所定キーだけの拡大画像を前記タッチスクリーン上の前記第１の所定キーとは別に表示し、
前記拡大画像を表示している状態でユーザーが前記第１の所定キーに更に重くタッチしたことを感知すると、前記確定命令として認知することを特徴とする請求項３に記載のタッチスクリーンの入力方法。
【請求項５】
ユーザーの前記第１の所定キーへのタッチに対応して、該第１の所定キーだけの拡大画像を前記タッチスクリーン上の前記第１の所定キーとは別に表示し、
前記拡大画像を表示している状態でユーザーが前記タッチスクリーンをタッチしたまま、更に、前記タッチスクリーンの画面上の他の箇所をタッチすることを感知すると、該第１の所定キーを入力する確定命令として認知することを特徴とする請求項３に記載のタッチスクリーンの入力受信方法。
【請求項６】
ユーザーの前記第１の所定キーへのタッチに対応して、該第１の所定キー、及び少なくとも１つの他の該第１の所定キーの隣接キーの拡大画像を、それぞれユーザーがタッチした位置と隣り合うように表示し、
ユーザーが前記タッチスクリーンをタッチしたまま、タッチがいずれかの前記拡大画像の表示された位置へ移動することを感知すると、該移動先の方にある拡大画像の対応するキーを入力する確定命令として認知することを特徴とする請求項３に記載のタッチスクリーンの入力受信方法。
【請求項７】
前記キーボードのキーが、複数の前記第１の所定キーと、複数の第２の所定キーとで構成し、且つ、前記第２の所定キーのいずれのキーも、いずれかの前記第１の所定キーと隣り合い、前記第１の所定キーへのタッチに対応して、該タッチされた第１の所定キーと共に該タッチされた第１の所定キーと隣り合う第２の所定キーをそれぞれの拡大画像で前記タッチスクリーン上の該第１及び第２の所定キーとは別に表示するようにさせることを特徴とする請求項６に記載のタッチスクリーンの入力受信方法。
【請求項８】
前記第１の所定キーはそれぞれ複数の符号を示し、
前記第１の所定キーにタッチしたことを感知すると、該第１の所定キーが示す複数の符号にそれぞれ対応する画像を拡大サイズで前記タッチスクリーン上の前記第１の所定キーとは別に表示してから、該拡大したキーの画像を表示した状態でユーザーの確定命令を待つことを特徴とする請求項３に記載のタッチスクリーンの入力受信方法。
【請求項９】
前記キーボードのキーを、複数の前記第１の所定キーで構成し、且つ、いずれかの前記第１の所定キーを、その中心部当りに位置する第１の感知区画と、その周縁部当りに位置して前記第１の感知区画を囲む第２の感知区画と、該いずれかの前記第１の所定キーと隣りの第１の所定キーとの間に位置し、該隣りの第１の所定キーと感知区画を共有する第３の感知区画とを有するようにさせ、
ユーザーがいずれかの前記第１の所定キーの前記第１の感知区画にのみタッチしたことを感知すると、拡大表示せずに直接に該第１の所定キーを入力する確定命令として認知し、ユーザーが前記第２の感知区画または前記第３の感知区画にタッチしたことを感知すると、該第１の所定キー及び該隣りの第１の所定キーの対応するキーの画像を拡大サイズで表示し、該拡大したキーの画像でユーザーの確定命令を待つことを特徴とする請求項３に記載のタッチスクリーンの入力受信方法。
【請求項１０】
ユーザーが、前記拡大表示した所定範囲の画像内に重くタッチすることを、前記確定命令と認知することを特徴とする請求項１に記載のタッチスクリーンの入力受信方法。
【請求項１１】
前記確定命令を受信したあと、ユーザーが前記拡大した所定範囲の画像外に重くタッチすることを、キャンセル命令と認知し、前記拡大した所定範囲の画像表示を終了させることを特徴とする請求項１または１０に記載のタッチスクリーンの入力受信方法。
【請求項１２】
ユーザーが前記タッチスクリーンの所定距離以上を離れた二ヶ所を同時にタッチすることを、前記確定命令と認知することを特徴とする請求項１に記載のタッチスクリーンの入力受信方法。
【請求項１３】
前記確定命令を受信したあと、ユーザーがタッチスクリーン上に所定距離以上を離れた二ヶ所を同時にタッチすることを、キャンセル命令と認知し、前記拡大した所定範囲の画像表示を終了させることを特徴とする請求項１または１２に記載のタッチスクリーンの入力受信方法。
【請求項１４】
前記確定命令を受信すると、前記拡大した所定範囲の画像を、フルスクリーンで表示させることを特徴とする請求項１に記載のタッチスクリーンの入力受信方法。
【請求項１５】
前記所定範囲の画像内にコマンド区画が表示されている場合、前記確定命令を受信したあと、該拡大した所定範囲の画像内にあるコマンド区画にユーザーがタッチしたことを感知すると、該コマンドに対応する操作を実行することを特徴とする請求項１に記載のタッチスクリーンの入力受信方法。
【請求項１６】
前記コマンド区間に所定のＵＲＬが表示されているとき、前記コマンドとは、当該ＵＲＬにアクセスすることを特徴とする請求項１５に記載のタッチスクリーンの入力受信方法。
【請求項１７】
請求項１〜請求項１６のいずれか一項に記載の方法を実施するためのタッチスクリーン付き電子装置。
【請求項１８】
画像を画面に表示するとともに、前記画面がタッチされるとタッチされた位置によって異なる信号を出力するタッチスクリーン手段と、
前記タッチスクリーン手段を制御して前記画面上に画像を表示させる表示処理モジュールと、前記タッチスクリーン手段から前記信号を受信してから、タッチされた位置を認知して位置情報を出力する感知判断モジュールと、前記感知判断モジュールから前記位置情報を受信して、所定の表示区画がタッチされたことを判断した場合、前記表示処理モジュールを通じて、前記タッチスクリーン手段の前記画面上に、該表示区画に対応する所定範囲の画像を拡大表示してから、該拡大した所定範囲の画像を表示した状態でユーザーの確定命令を待つように実行する中央処理モジュールとを有するプロセッサ手段と、
を具備したことを特徴とするタッチスクリーン付き電子装置。
【請求項１９】
前記中央処理モジュールは、更に、前記画面中に入力待ち受け箇所が表示されている場合、前記感知判断モジュールからタッチされた位置情報を受信し、前記入力待ち受け箇所がタッチされたことを判断すると、前記表示処理モジュールを通じて、前記タッチスクリーン手段の前記画面上に、該タッチした箇所に対応する所定範囲の画像を拡大表示してから、該拡大した画像を表示した状態でユーザーの確定命令を待つように実行することを特徴とする請求項１８に記載のタッチスクリーン付き電子装置。
【請求項２０】
前記中央処理モジュールは、更に、前記入力待ち受け箇所としてキーボードが表示されている場合、前記キーボードに表示されている第１の所定キーの所定箇所がユーザーにタッチされたことを判断すると、前記表示処理モジュールを通じて、前記タッチスクリーン手段の画面上に、該第１の所定キーに対応するキーの画像を拡大サイズで表示してから、該拡大したキーの画像を状態でユーザーの確定命令を待つように実行することを特徴とする請求項１９に記載のタッチスクリーン付き電子装置。
【請求項２１】
前記タッチスクリーン手段は、ユーザーが画面にタッチした圧力に応じて異なる信号を出力するものであり、
前記感知判断モジュールは、前記タッチスクリーン手段から位置に関わる信号と共に前記圧力信号を受信してから、タッチされた位置及び圧力を認知して位置情報及び圧力情報を出力し、
前記中央処理モジュールは、前記第１の所定キーへのタッチに対応して、前記表示処理モジュールを通じて、前記タッチスクリーン手段の画面上に、該第１の所定キーだけの拡大画像を前記タッチされた前記第１の所定キーの画像とは別に表示し、
前記拡大画像を表示している状態で前記中央処理モジュールが前記感知判断モジュールからタッチされる位置情報及び圧力情報を受信することによって、前記第１の所定キーがユーザーに更に重くタッチされたことを判断すると、前記確定命令として認知することを特徴とする請求項２０に記載のタッチスクリーン付き電子装置。
【請求項２２】
前記中央処理モジュールは、前記第１の所定キーへのタッチに対応して、前記表示処理モジュールを通じて、前記タッチスクリーン手段の画面上に、該第１の所定キーだけの拡大画像を前記タッチされた前記第１の所定キーの画像とは別に表示し、
前記拡大画像を表示している状態で前記中央処理モジュールが前記感知判断モジュールからタッチされる位置情報を受信することによって、ユーザーが前記画面をタッチしたまま、更に前記画面上の他の箇所をタッチしたと判断すると、前記確定命令として認知することを特徴とする請求項２０に記載のタッチスクリーン付き電子装置。
【請求項２３】
前記中央処理モジュールは、前記第１の所定キーへのタッチに対応して、前記表示処理モジュールを通じて、前記タッチスクリーン手段の前記画面上に、該第１の所定キー及び少なくとも１つの該第１の所定キーに隣接する他のキーの拡大画像を、それぞれユーザーがタッチした位置と隣り合うように表示し、
前記拡大画像を表示している状態で前記中央処理モジュールが前記感知判断モジュールからタッチされる位置情報を受信することによって、ユーザーが前記画面をタッチしたまま、いずれかの前記拡大画像の表示された位置へタッチが移動したと判断すると、該移動先の方にある拡大画像の対応するキーを入力する確定命令として認知することを特徴とする請求項２０に記載のタッチスクリーン付き電子装置。
【請求項２４】
前記タッチスクリーン手段の画面上に表示される前記キーボードのキーは、複数の前記第１の所定キーと、複数の第２の所定キーとを有しており、且つ、前記第２の所定キーのいずれのキーも、いずれかの前記第１の所定キーと隣り合い、前記第１の所定キーへのタッチに対応して、該タッチされた第１の所定キーと共に該タッチされた第１の所定キーと隣り合う第２の所定キーをそれぞれの拡大画像で前記画面に表示された該第１及び第２の所定キーとは別に表示する請求項２３に記載のタッチスクリーン付き電子装置。
【請求項２５】
前記第１の所定キーはそれぞれ複数の符号を示すものとし、
前記中央処理モジュールがいずれかの前記第１の所定キーがタッチされたと判断すると、前記表示処理モジュールを通して、前記タッチスクリーン手段の前記画面上に、該タッチされた第１の所定キーが示す複数の符号にそれぞれ対応するキーの画像を拡大サイズで画面上の前記第１の所定キーとは別に表示し、該拡大したキーの画像を表示した状態でユーザーの確定命令を待つように実行することを特徴とする請求項２０に記載のタッチスクリーン付き電子装置。
【請求項２６】
前記キーボードのキーを、複数の前記第１の所定キーで構成し、且つ、いずれかの前記第１の所定キーを、その中心部当りに位置する第１の感知区画と、その周縁部当りに位置して前記第１の感知区画を囲む第２の感知区画と、該いずれかの前記第１の所定キーと隣りの第１の所定キーとの間に位置し、該隣りの第１の所定キーと感知区画を共有する第３の感知区画とを有するように配置し、
ユーザーがいずれかの前記第１の所定キーの前記第１の感知区画にのみタッチしたことを感知すると、拡大表示せずに直接に該第１の所定キーを入力する確定命令として認知し、ユーザーが前記第２の感知区画または前記第３の感知区画にタッチしたことを感知すると、該第１の所定キー及び該隣りの第１の所定キーの対応するキーの画像を拡大サイズで表示し、該拡大したキーの画像を表示した状態でユーザーの確定命令を待つように実行することを特徴とする請求項２０に記載のタッチスクリーン付き電子装置。
【請求項２７】
前記中央処理モジュールは、ユーザーが前記拡大した所定範囲の画像内に重くタッチすることを、前記確定命令と認知することを特徴とする請求項１８に記載のタッチスクリーン付き電子装置。
【請求項２８】
前記確定命令を受信したあと、ユーザーが前記拡大した所定範囲の画像外に重くタッチする操作を、前記中央処理モジュールはキャンセル命令と認知し、前記拡大した所定範囲の画像表示を終了させることを特徴とする請求項１８または２７に記載のタッチスクリーン付き電子装置。
【請求項２９】
ユーザーがタッチスクリーン上に所定距離以上を離れた二ヶ所を同時にタッチする操作を、前記中央処理モジュールは前記確定命令と認知することを特徴とする請求項１８に記載のタッチスクリーン付き電子装置。
【請求項３０】
前記確定命令を受信したあと、ユーザーがタッチスクリーン上の所定距離以上を離れた二ヶ所を同時にタッチする操作を、前記中央処理モジュールはキャンセル命令と認知し、前記拡大した所定範囲の画像表示を終了させることを特徴とする請求項１８または２９に記載のタッチスクリーン付き電子装置。
【請求項３１】
前記確定命令を受信すると、前記中央処理モジュールは前記表示処理モジュールを通じて、前記タッチスクリーン手段の画面上に、前記拡大した所定範囲の画像を、フルスクリーンで表示させることを特徴とする請求項１８に記載のタッチスクリーン付き電子装置。
【請求項３２】
前記所定範囲の画像内にコマンド区画が表示されている場合、前記確定命令を受信したあと、前記感知判断モジュールから更に該拡大した所定範囲の画像内にあるコマンド区画にユーザーがタッチされたことを感知し、前記中央処理モジュールが受信した位置情報により所定の表示区画がタッチされたと判断した場合、該コマンドに対応する操作を実行することを特徴とする請求項１８に記載のタッチスクリーン付き電子装置。
【請求項３３】
前記コマンドとは、所定のＵＲＬにアクセスすることを特徴とする請求項３２に記載のタッチスクリーン付き電子装置。
【請求項３４】
請求項１〜請求項１６のいずれか一項に記載の方法を実施するためのタッチスクリーンの入力受信システム。
【請求項３５】
画像を画面に表示するとともに、前記画面がタッチされるとタッチされた位置によって異なる信号を出力するタッチスクリーン手段と、
前記タッチスクリーン手段を制御して前記画面上に画像を表示させる表示処理モジュールと、前記タッチスクリーン手段から前記信号を受信してから、タッチされた位置を認知して位置情報を出力する感知判断モジュールと、前記感知判断モジュールから前記位置情報を受信して、所定の表示区画がタッチされたことを判断した場合、前記表示処理モジュールを通じて、前記タッチスクリーン手段の画面上に、該表示区画に対応する所定範囲の画像を拡大表示し、該拡大した所定範囲の画像を表示した状態でユーザーの確定命令を待つように実行する中央処理モジュールとを有するプロセッサ手段と、
を具備したことを特徴とするタッチスクリーンの入力受信システム。
【請求項３６】
前記中央処理モジュールは、更に、前記タッチスクリーンの画面中に入力待ち受け箇所が表示されている場合、前記感知判断モジュールから位置情報を受信して前記入力待ち受け箇所がタッチされたことを判断すると、前記表示処理モジュールを通じて、前記タッチスクリーン手段の画面上に、該タッチした箇所に対応する所定範囲の画像を拡大表示し、該拡大した画像を表示した状態でユーザーの確定命令を待つように実行することができることを特徴とする請求項１８に記載のタッチスクリーンの入力受信システム。
【発明の詳細な説明】
【技術分野】
【０００１】
本発明は、タッチスクリーンの入力受信方法に関し、特に、タッチスクリーンを用いることにより、出力手段とは独立した入力手段を省略して、小型化された電子装置に用いるタッチスクリーンの入力受信方法、該方法を使用する電子装置、そして該方法を使用するタッチスクリーンの入力システムに関する。
【背景技術】
【０００２】
タッチスクリーンの使用により、携帯式デジタル電子装置は入力手段が表示手段に組み込まれ、操作が必要なときだけキーボードやボタン、入力待ち受け箇所などの画像を表示手段としの画面上に表示することにより、更なる小型化を遂げている。
【０００３】
例えば、特許文献１では、タッチスクリーン入／出力部の一部に、タッチスクリーンキーボードを重なるように表示させる制御方法を開示している。
【特許文献１】特開平１１−２０３０４６
【発明の開示】
【発明が解決しようとする課題】
【０００４】
携帯式電子装置の技術の進歩に伴い、携帯性を向上させる小型化が進むにつれて、入／出力手段としてタッチスクリーンを用いる携帯式電子装置の画面サイズも段々小さくなり、現時点では２.５インチ〜３.５インチの画面サイズが主流と成っている。従って、２.５インチ〜３.５インチの画面上に一定量以上の文字や画像を一斉に表示する場合、画面上に表示される文字や画像のサイズは必然的に小さくなり、老眼を持つ年配者に限らず、一般的な視力を持つユーザーにも画面が見辛くなることもある。
【０００５】
更に、２.５インチ〜３.５インチの画面上に表示されるキーボードやボタン、入力待ち受け箇所などの画像のサイズも、出力機能を妨げないようにするため、これらの画像は必然的に小さく表示されて見辛いことになる。
【０００６】
一方、ＧＵＩに関する研究結果によると、タッチスクリーンに表示される各ボタンや各キーの画像のサイズは、０.８ｃｍ2以上が好ましく、ボタン画像とボタン画像の間には、０.２５ｃｍ以上の隙間を開けた方が好ましいことが解っている。キーボードの各キーのサイズを０.８ｃｍ2以上に確保すると、アルファベットだけで２０ｃｍ2以上のスペースが必要となり、２.５インチ〜３.５インチの画面上に出力機能を妨げずに表示するのが到底不可能である。従って、現在のタッチスクリーンを用いる携帯式電子装置の画面上に表示されるキーボードの各キーのサイズは理想から大きく下回ることになり、各キーのサイズが小さすぎることによって発生するユーザーの誤操作も必然的に多発することになる。
【０００７】
上記問題点に鑑みて、本発明はユーザーの意図を読み取って画面上に表示される一部の画像を拡大表示することにより、視認性及び操作性を向上したタッチスクリーンの入力受信方法と、該方法を実施するためのタッチスクリーン付き電子装置と、該方法を実施するためのタッチスクリーンの入力システムとを提供することを目的とする。
【課題を解決するための手段】
【０００８】
本発明の一側面によれば、画像を表示できるタッチスクリーンの入力受信方法であって、ユーザーが前記タッチスクリーン上の所定の表示区画にタッチしたことを感知すると該表示区画に対応する所定範囲の画像を拡大表示するステップと、該拡大した所定範囲の画像を表示した状態でユーザーの確定命令を待つステップとを具備したこと特徴とするタッチスクリーンの入力受信方法が提供される。
【０００９】
本発明の他の側面によれば、画像を表示できるタッチスクリーンの入力受信方法であって、前記タッチスクリーンの画面中に入力待ち受け箇所が表示されている場合、ユーザーが前記入力待ち受け箇所にタッチしたことを感知すると該タッチした箇所に対応する所定範囲の画像を拡大表示するステップと、該拡大した画像を表示した状態でユーザーの確定命令を待つステップとを具備したことを特徴とするタッチスクリーンの入力受信方法が提供される。
【００１０】
本発明の他の側面によれば、画像を画面に表示するとともに、前記画面がタッチされるとタッチされた位置によって異なる信号を出力するタッチスクリーン手段と、前記タッチスクリーン手段を制御して前記画面上に画像を表示させる表示処理モジュールと、前記タッチスクリーン手段から前記信号を受信してから、タッチされた位置を認知して位置情報を出力する感知判断モジュールと、前記感知判断モジュールから前記位置情報を受信して、所定の表示区画がタッチされたことを判断した場合、前記表示処理モジュールを通じて、前記タッチスクリーン手段の前記画面上に、該表示区画に対応する所定範囲の画像を拡大表示してから、該拡大した所定範囲の画像を表示した状態でユーザーの確定命令を待つように実行する中央処理モジュールとを有するプロセッサ手段とを具備したことを特徴とするタッチスクリーン付き電子装置が提供される。
【００１１】
本発明の更に他の側面によれば、画像を画面に表示するとともに、前記画面がタッチされるとタッチされた位置によって異なる信号を出力するタッチスクリーン手段と、前記タッチスクリーン手段を制御して前記画面上に画像を表示させる表示処理モジュールと、前記タッチスクリーン手段から前記信号を受信してから、タッチされた位置を認知して位置情報を出力する感知判断モジュールと、前記感知判断モジュールから前記位置情報を受信して、所定の表示区画がタッチされたことを判断した場合、前記表示処理モジュールを通じて、前記タッチスクリーン手段の画面上に、該表示区画に対応する所定範囲の画像を拡大表示し、該拡大した所定範囲の画像を表示した状態でユーザーの確定命令を待つように実行する中央処理モジュールとを有するプロセッサ手段とを具備したことを特徴とするタッチスクリーンの入力受信システムが提供される。
【発明の効果】
【００１２】
上記構成によれば、本発明はユーザーの意図を読み取って画面上に表示される一部の画像を拡大表示するタッチスクリーンの入力受信方法を提供することにより、タッチスクリーン付き電子装置の視認性及び操作性を向上させ、より使いやすいようにすることができる。
【発明を実施するための最良の形態】
【００１３】
以下に各図面を参照しながら本発明の各好ましい実施形態について詳しく説明する。
下記の全ての実施形態においてタッチスクリーン付き電子装置は、すべてＰＤＡが例として挙げられているが、例えば、スマートフォンなど、タッチスクリーンキーボードの携帯式デジタル電子装置であれば適用可能である。
【００１４】
第１実施形態
図１は本発明の第１実施形態のタッチスクリーン付きＰＤＡの入力受信システムの動作を示すフローチャート、特に入力受信システムに使用される入力受信方法を示すフローチャートであり、また、図２〜図５に示すのは該入力受信方法に沿って制御されるタッチスクリーン付きＰＤＡ（電子装置）１のタッチスクリーン１１の画面を示している。
【００１５】
方法の説明
まず、図１において最初のステップ１０１で、図２に示すように、画面上端の一部にウェブサイトのＵＲＬを表示しており、その他は全て当該ウェブサイトのページ上の文字や画像が表示され、ユーザーがウェブサイトの文字や画像が表示されている箇所にタッチすることを待ち受ける第１の操作モードがＯＮになっている。
【００１６】
そして、この第１の操作モードにおいて、ステップ１０２で、ユーザーが該タッチスクリーン付き電子装置１のタッチスクリーン１１の予め定められた表示区間がタッチされたことを確認したか否かを判断する。肯定判定ならば、ステップ１０３に進む。否定判定ならば、ステップ１０２で待機する。ステップ１０３で、図３に示すように、該タッチされた表示区画に対応する所定範囲の画像を、元の画像上に重ねて表示するための拡大されたフレーム１１８内に拡大表示し、該拡大した所定範囲の画像を表示した状態でユーザーの確定命令を待つ。例えば、図３において、拡大されたフレーム１１８の拡大表示された所定範囲の画像内には、文字１１７や他のＵＲＬのページにアクセスするハイパーリンク１１９が張られている。
【００１７】
ステップ１０４で、ユーザーが前記拡大した所定範囲の画像を表示する拡大されたフレーム１１８内に重くタッチすることを確認（感知）したか否かを判定する。ここで、重くタッチするとは、ユーザーが拡大した所定範囲の画像内を選択した意図を確認することをいうものであり、例えば、タッチスクリーン１１の拡大されたフレーム１１８内が所定の閾値以上の圧力でタッチされたことをいう。
【００１８】
肯定判定ならば、それを確定命令として認知し、ステップ１０５に進む。例えば、図４に示すように、ユーザーがフレーム１１８内を重くタッチしたことを感知したならば、ステップ１０５に進む。否定判定ならば、ステップ１０３で待機する。
【００１９】
ステップ１０５で、第２の操作モードをＯＮにし、拡大されたフレーム１１８内に対する命令を受付ける。例えば、拡大されたフレーム１１８に拡大表示されたコマンド区画としてのハイパーリンク１１９が表示されているとき、このハイパーリンク１１９の位置がタッチされると、ハイパーリンク１１９に対応するＵＲＬにアクセスして、該ＵＲＬから文字あるいは画像データをダウンロードし、拡大されたフレーム１１８内に表示する。
【００２０】
一方、ステップ１０３で、拡大されたフレーム１１８に拡大表示された画像内に、例えばボタンなどのコマンド区画が表示されている場合、ステップ１０４で確定命令を受信したあと、該拡大した所定範囲の画像内にあるコマンド区画にユーザーがタッチしたことを感知すると、該コマンドに対応する操作を実行する。
【００２１】
また、ステップ１０４で、ユーザーが拡大されたフレーム１１８外をタッチしたことを感知すると、ステップ１０３に戻り、新たにタッチされた表示区画に対応する所定範囲の画像を、拡大されたフレーム１１８内に拡大表示する。
【００２２】
ステップ１０４で、ユーザーが拡大されたフレーム１１８内に重くタッチする確定命令を受付けて第２の操作モードがＯＮになっている状態で、更に、ステップ１０６で、ユーザーが拡大されたフレーム１１８外を重くタッチしたか否かを判定する。肯定判定ならば、ステップ１０２に戻る。否定判定ならば、ステップ１０５に戻って待機する。ステップ１０６で拡大されたフレーム１１８外が重くタッチされたことを感知すると、それをキャンセル命令として認知し、ステップ１０３で前記拡大した所定範囲の画像表示、即ち拡大されたフレーム１１８の表示を終了させるとともに、第２の操作モードをＯＦＦにし、ステップ１０１に戻って、第１の操作モードをＯＮにする。図２に示す画面で、ユーザーがウェブサイトの文字や画像が表示されている箇所にタッチすることを待ち受ける。ここで重くタッチの意義はステップ１０４と同様である。
【００２３】
例えば、図５に示すようにユーザーが拡大されたフレーム１１８外に重くタッチすることを感知すると、それをキャンセル命令として認知し、ステップ１０３で前記拡大した所定範囲の画像表示、即ち、拡大されたフレーム１１８の表示を終了させるとともに、第２の操作モードをＯＦＦにし、第１の操作モードをＯＮにし、図２に示す画面で、ユーザーがウェブサイトの文字や画像が表示されている箇所にタッチすることを待ち受ける。
【００２４】
図６は、上記第１の実施形態のタッチスクリーンの入力受信方法の変形例を示すフローチャートであり、また、図７、図８に示すのは該変形例に沿って制御されるタッチスクリーン付きＰＤＡ（電子装置）１のタッチスクリーン１１の画面を示している。この変形例は図１に示す入力受信方法とほぼ同じようになっているので、以下はそれらの相違点だけについて詳しく説明する。
【００２５】
図１におけるステップ１０４では、ユーザーが拡大されたフレーム１１８内に重くタッチすることを確定命令として認知するが、図６におけるステップ２０４では、図７に示すように、ユーザーがタッチスクリーン上の所定距離以上を離れた二ヶ所を同時にタッチすることを、前記確定命令として認知する。また、ステップ２０５では、第２の操作モードをＯＮにすると共に、図８に示すように、拡大されたフレーム１１８をフルスクリーンで表示する。更に、拡大されたフレーム１１８がフルスクリーンで表示されるため、ステップ２０６では、ステップ１０６のように拡大されたフレーム１１８外のタッチが不可能となっているので、例えば、図８に示すように、ユーザーがタッチスクリーン上に所定距離以上を離れた二ヶ所を同時にタッチすることをキャンセル命令として認知する。
【００２６】
システム及び装置の説明
前記説明は本発明の入力受信方法を中心として説明したが、以下、図２１及び図１をあわせて参照し、そのシステム及び装置の説明をする。
【００２７】
図２１は上記タッチスクリーン付きＰＤＡの簡単な構成を示す概略構成図である。
【００２８】
図２１に示すように、該ＰＤＡ（タッチスクリーン付き電子装置）１は図２等に示したタッチスクリーン１１を有すると共に、タッチスクリーン１１に画像を表示したままで、画面がタッチされるとタッチされた位置及びタッチスクリーン１１にタッチされた圧力に応じて異なる出力信号を出力するタッチスクリーン手段５００と、タッチスクリーン手段５００の制御及び各種情報の処理を行うプロセッサ手段６００とを備えている。
【００２９】
また、本発明の入力受信方法を実行するため、プロセッサ手段６００は更にタッチスクリーン手段５００を直接制御してタッチスクリーン１１の画面上に画像を表示させる表示処理モジュール（表示処理手段）６０１と、タッチスクリーン手段５００から前記出力信号を受信してから、タッチされた位置を認知して位置情報及びタッチされた圧力を認知して圧力情報を出力する感知判断モジュール（感知判断手段）６０２と、感知判断モジュール６０２から前記位置情報及び前記圧力情報を受信して判断し、且つ表示処理モジュール６０１を通してタッチスクリーン手段５００のタッチスクリーン１１の画面表示を制御することができる中央処理モジュール（中央処理手段）６０３とを備えている。表示処理モジュール６０１、感知判断モジュール６０２及び中央処理モジュール６０３はプロセッサによる該当プログラムの実行により実現される。
【００３０】
ステップ１０１で、タッチスクリーン手段５００はプロセッサ手段６００の制御の元で図２に示すように画像を表示する。
【００３１】
ステップ１０２で、タッチスクリーン１１の画面がタッチされると、タッチスクリーン手段５００はタッチされた位置及び圧力によって異なる出力信号をプロセッサ手段６００の感知判断モジュール６０２に出力する。感知判断モジュール６０２はタッチスクリーン手段５００から出力信号を受信してから、タッチされた位置及び圧力を認知して位置情報及び圧力情報を中央処理モジュール６０３に出力する。中央処理モジュール６０３は感知判断モジュール６０２から位置情報及び圧力情報を受信して、タッチスクリーン１１の画面上にある所定の表示区画、即ち該ウェブサイトの文字や画像が表示されている箇所がタッチされたか否かを確認する。
【００３２】
中央処理モジュール６０３が所定の表示区画が確かにタッチされたと判断すると、中央処理モジュール６０３は、ステップ１０３を実行してタッチスクリーン１１の画面上に、該表示区画に対応する所定範囲の画像を拡大表示した後、ステップ１０４〜１０６を順次に実行する。このとき、ステップ１０４，１０６において、重くタッチされたことは前記圧力情報に基づいて、例えば、閾値以上の圧力であれば、重くタッチされたと認知する。
【００３３】
第２実施形態
図９は本発明の第２実施形態のタッチスクリーン付きＰＤＡの入力受信システム、特に入力受信システムに使用される入力受信方法を示すフローチャートであり、また、図１０〜図１３に示すのは該入力受信方法に沿って制御されるタッチスクリーン付きＰＤＡ（電子装置）１のタッチスクリーン１１の画面を示している。以下、図９に示すフローチャートと図１０〜図１３に示す画面をあわせて参照しながらこの第２実施形態について詳しく説明する。
【００３４】
方法の説明
ステップ３０１で、タッチスクリーンの画面上に入力待ち受け箇所を表示する。図１０に示すように、この実施形態では、入力待ち受け箇所としてアルファベットを入力するキーボード１１０が表示されている。
【００３５】
ステップ３０２で、ユーザーが前記入力待ち受け箇所としてのキーボード１１０にタッチしたことを感知したか否かを判定する。肯定判定ならば、ステップ３０３に進む。否定判定ならば、ステップ３０２で待機する。ステップ３０３で、タッチした箇所がいずれかのキーが表示されている箇所であるか否かを確認する処理を行う。確認されたならば、ステップ３０４に進む。確認されなかったならば、ステップ３０２に戻る。
【００３６】
ステップ３０３で、ユーザーによりタッチされた箇所が確かにキーが表示されている箇所であると判断した場合、ステップ３０４で、該タッチした箇所に対応する画像を、元の画像とは別に拡大して表示する。例えば、図１１に示すように、該タッチした箇所（Ｄキー）に対応するアルファベットが表示される所定範囲の画像を、元の画像と別に拡大してユーザーがタッチした位置の上側当りの位置で表示して、該拡大した画像でユーザーの確定命令を待つ。
【００３７】
ステップ３０５で、ユーザーがさっきタッチしたタッチ箇所に更に重くタッチしたことが確認されたか（確定命令）否かを判定する。肯定判定されて確定命令を受けると、ステップ３０６に進む。否定判定ならば、ステップＳ３０２に戻る。ここで、重くタッチしたことは図１中のステップ１０４と同様にして行う。
【００３８】
ステップ３０６で、ユーザーによりタッチされた箇所が対応する処理、例えば、ユーザーによりタッチされた箇所に表示されるアルファベットを入力する処理を行う。この実施形態において、ユーザーが図１２に示すように、さっきタッチしたタッチ箇所（Ｄキー）に更に重くタッチすることをステップ３０５における確定命令として認知し、タッチされた箇所（Ｄキー）に対応する処理を行う。タッチされた箇所（キー）に対応する処理とは、該箇所に表示されるアルファベットを入力する処理である。ここで、重くタッチしたことは図１中のステップ１０４と同様にして行う。
【００３９】
また、上記第２実施形態の変形例として、図１３に示すように、タッチスクリーン上に所定距離以上を離れた二ヶ所を同時にタッチする操作を確定命令と認知するように構成することもできる。
【００４０】
次に、本発明の第２実施形態の変形例について説明する。図１４〜図１６はこの変形例によるタッチスクリーン１１の画面を示している。
【００４１】
図１４に示すように、この変形例において画面上に表示されるキーボード１１０が有するキーは、複数のアルファベット（符号）、例えば、それぞれ２つのアルファベットを示すものであり、図９中のステップ３０４では図１５に示すように、タッチされたキーが表示する（対応する）各アルファベットをキーの画像として拡大サイズでタッチされた位置の上側に表示してから、該拡大したキーの画像でユーザーの確定命令を待つ。
【００４２】
ステップ３０５で、ユーザーがスクリーン１１をタッチしたまま、図１６に示すように、いずれかの拡大画像の表示された位置、例えば、Ｆキーが表示された位置へタッチ位置が移動したことを感知すると、該移動先の方にある拡大画像の対応するキー、例えば、Ｆキーを入力する確定命令として認知する。
【００４３】
更に、図２２〜図２５は上記第２実施形態のもう一つの変形例である。
【００４４】
図２２はこの変形例のタッチスクリーンの入力受信方法を示すフローチャートであり、また、図２３〜図２５に示すのは該入力受信方法に沿って制御されるタッチスクリーン付き電子装置１のタッチスクリーン１１の画面を示している。以下は図２２に示すフローチャートに沿ってこの変形例について詳しく説明する。
【００４５】
ステップ３１１で、タッチスクリーンの画面上に入力待ち受け箇所を表示する。図２３に示すように、この実施形態では、入力待ち受け箇所としてアルファベットを入力するキーボード１１０が表示されている。更に、画面上に表示されるキーボード１１０の各キーについて、それぞれ中心部当りに位置する第１の感知区画１１４と、その周縁部当りに位置して前記第１の感知区画１１４を囲む第２の感知区画１１５と、該いずれかのキーと隣りのキーとの間に、該隣りのキーの第３の感知区画１１６を共有する第３の感知区画１１６とが予めに定められている。
【００４６】
ステップＳ３１２で、ユーザーが前記入力待ち受け箇所としてのキーボード１１０にタッチしたことを感知すると、ステップ３１３に進んでタッチした箇所がどのキーのどの感知区画であるか否かを確認する処理を行う。いずれかのキーの第１の感知区画１１４がタッチされたと判断すると、ステップ３１４に進んでタッチされた箇所（キー）に対応する処理、即ち該箇所に表示されるアルファベットを入力する処理を行う。また、いずれかのキーの第２の感知区画１１５または第３の感知区画１１６がタッチされたと判断するとステップ３１５に進む。
【００４７】
ステップ３１５で、該タッチされた第２の感知区画１１５または第３の感知区画１１６が所属するキー、及び該キーについての第２の感知区画１１５または第３の感知区画１１６の隣りにあるキーの対応するキーの画像を拡大サイズでタッチされた位置の上側に表示し、該拡大したキーの画像でユーザーの確定命令を待つ。例えば、図２４に示すように、Ｆキー、及び第３の感知区画１１６を共有する隣りにあるＤキーの画像を拡大サイズでタッチされた位置の上側に表示し、該拡大したキーの画像でユーザーの確定命令を待つ。
【００４８】
ステップ３１６で、ユーザーがタッチスクリーン１１をタッチしたまま、いずれかの拡大画像の表示された位置へタッチが移動したことを感知されたか否かを判定する。肯定判定ならば、ステップ３１７に進む。否定判定ならば、ステップＳ３１２に戻る。ステップ３１７で、移動先の方にある拡大画像に対応するキーを入力する処理を行う。例えば、図２５に示すように、いずれかの拡大画像の表示された位置、例えば、Ｆキーへ移動することを感知すると、該移動先の方にある拡大表示に対応するＦキーを入力する確定命令として認知し、ステップ３１７に進んで該移動先にある拡大画像の表示するアルファベットＦを入力する処理を行う。
【００４９】
システム及び装置の説明
前記説明は入力受信方法を中心として説明したが、以下、図２１及び図９をあわせて参照し、そのシステム及び装置の説明をする。
【００５０】
本発明の第１実施形態及び第２実施形態のシステム及び装置に必要な構成は同じであるため、重複の説明を省略する。
【００５１】
ステップ３０１で、タッチスクリーン手段５００はプロセッサ手段６００の制御の元で図１０のようにタッチスクリーン１１の画面上にキーボード１１０を表示する。
【００５２】
ステップ３０２で、タッチスクリーン１１の画面がタッチされると、タッチスクリーン手段５００はタッチされた位置によって異なる出力信号をプロセッサ手段６００の感知判断モジュール６０２に出力する。そして、感知判断モジュール６０２はタッチスクリーン手段５００から出力信号を受信してから、タッチされた位置を認知して位置情報を中央処理モジュール６０３に出力する。中央処理モジュール６０３は感知判断モジュール６０２から位置情報を受信して、タッチスクリーン１１の画面上にある所定の表示区画、即ちキーボード１１０のキーの画像が表示されている箇所がタッチされたか否かを確認する。
【００５３】
中央処理モジュール６０３が所定の表示区画が確かにタッチされたと判断すると、ステップ３０３を実行してタッチスクリーン１１の画面上に、該表示区画（キー）に対応する所定範囲の画像（キーの画像）を拡大表示した後上、ステップ３０４〜３０６を順次に実行する。
【００５４】
第３実施形態
本発明の第３実施形態について説明する。図１７は本発明の第３実施形態のタッチスクリーン付きＰＤＡの入力受信システムの動作フローチャートであり、特に入力受信システムに使用される入力受信方法を示すフローチャートであり、また、図１８〜図２０に示すのは該入力受信方法に沿って制御されるタッチスクリーン付き電子装置１のタッチスクリーン１１の画面を示している。この第３実施形態は上記第２実施形態の変形例でもあるので、以下は図１７に示すフローチャートと図１８〜図２０に示す画面をあわせて参照しながら、この第３の実施形態と第２の実施形態の相違点について詳しく説明する。
【００５５】
方法の説明
まず、ステップ４０１で、第２実施形態と同じくタッチスクリーンの画面上に入力待ち受け箇所としてのキーボード１１０を表示するが、この実施形態において、表示されるキーボード１１０が有するキーは、図１８に示すように、複数の第１の所定キー１１１と複数の第２の所定キー１１２との２種類に分けられている。図１８において太枠で表示される各第１の所定キー１１１（Ｗ、Ｒ、Ｙ、Ｉ…など）は、互いに、細枠で表示される第２の所定キー１１２（Ｑ、Ｅ、Ｔ、Ｕ…など）を横に隔てるように配置され、また、各第２の所定キー１１２も必ず少なくとも１つの第１の所定キー１１１と隣り合わせるように配置されている。
【００５６】
ステップ４０３で、ユーザーによりタッチされた箇所がいずれかの第１の所定キー１１１が表示されている箇所であるか否かを確認する処理を行う。ユーザーによりタッチされた箇所が確かに第１の所定キー１１１が表示されている箇所であると判断した場合、ステップ４０４に進む。ユーザーによりタッチされた箇所が確かに第１の所定キー１１１が表示されている箇所ではないと判断した場合、ステップ４０２に戻る。
【００５７】
ステップ４０４で、該タッチした第１の所定キー１１１に対応するアルファベット、即ち該第１の所定キー１１１、及び左右両隣に配置される第２の所定キー１１２に表示されるアルファベットの画像を、元の画像と別に拡大して、それぞれユーザーがタッチした位置と隣り合うように表示する。例えば、図１９に示すように、第１の所定キー１１１であるＦキーがタッチされた場合、該タッチした第１の所定キー（Ｆキー）１１１に対応するアルファベット、即ち該第１の所定キー（Ｆキー）、及び左右両隣に配置される第２の所定キー（Ｄキー，Ｇキー）１１２に表示されるアルファベットの画像（Ｄキー，Ｇキー）を元の画像と別に拡大して、それぞれユーザーがタッチした位置と隣り合うように表示する。更に、ステップ４０５で、ユーザーがタッチスクリーン１１をタッチしたまま、いずれかの拡大画像の表示された位置へタッチが移動したことを感知確認したか否かを判定する。肯定判定ならば、ステップ４０６に進む。否定判定ならば、ステップ４０２に戻る。ステップ４０６で、該移動先の方にある拡大画像の対応するキーを入力する確定命令として認知して該移動先の方にある拡大画像の対応するキーを入力する処理を行う。
【００５８】
例えば、ステップ４０５で、ユーザーがタッチスクリーン１１をタッチしたまま、図２０に示すように、いずれかの拡大画像の表示された位置、例えば、Ｆキーが拡大表示された位置へタッチが移動したことを感知すると、該移動先の方にある拡大画像の対応するＦキーを入力する確定命令として認知し、ステップ４０６に進んで、該移動先の方にある拡大画像の対応するＦキーを入力する処理を行う。
【００５９】
ちなみに、図１９及び図２０に示すように、この実施形態において、拡大表示される各アルファベットの画像の枠は、該アルファベット（キー）を入力するのに必要である拡大画像の表示された位置へ移動する操作の移動方向を指示するように表示されている。
【００６０】
システム及び装置の説明
前記説明は入力受信方法を中心として説明したが、以下、図２１及び図１７をあわせて参照し、そのシステム及び装置の説明をする。
【００６１】
本発明の第１実施形態及び第２実施形態のシステム及び装置に必要な構成は同じであるため、重複の説明を省略する。
【００６２】
ステップ４０１で、タッチスクリーン手段５００はプロセッサ手段６００の制御の元で図１０のようにタッチスクリーン１１の画面上にキーボード１１０を表示する。
【００６３】
ステップ４０２で、タッチスクリーン１１の画面がタッチされると、タッチスクリーン手段５００はタッチされた位置によって異なる出力信号をプロセッサ手段６００の感知判断モジュール６０２に出力する。そして、感知判断モジュール６０２はタッチスクリーン手段５００から出力信号を受信してから、タッチされた位置を認知して位置情報を中央処理モジュール６０３に出力する。ステップ４０４で、中央処理モジュール６０３は感知判断モジュール６０２から位置情報を受信して、タッチスクリーン１１の画面上にある所定の表示区画、即ちキーボード１１０の第１の所定キー１１１の画像が表示されている箇所がタッチされたか否かを確認する。
【００６４】
中央処理モジュール６０３が所定の表示区画が確かにタッチされたと判断すると、ステップ３０３を実行してタッチスクリーン１１の画面上に、該表示区画（第１の所定キー１１１）に対応する所定範囲の画像、即ち該第１の所定キー１１１、及びその左右両隣に配置される第２の所定キー１１２に表示されるアルファベットの画像を拡大表示する上、ステップ４０４〜４０６を順次に実行する。
【００６５】
上記構成によれば、本発明はユーザーの意図を読み取って画面上に表示される一部の画像を拡大表示するタッチスクリーンの入力受信方法を提供することにより、タッチスクリーン付き電子装置の視認性及び操作性を向上させ、より使いやすいようにすることができる。
【図面の簡単な説明】
【００６６】
【図１】本発明の第１実施形態の入力受信方法を示すフローチャートである。
【図２】同入力受信方法に沿って制御されるタッチスクリーン付きＰＤＡのタッチスクリーンの画面を示す説明図である。
【図３】同入力受信方法に沿って制御されるタッチスクリーン付きＰＤＡのタッチスクリーンの画面を示す説明図である。
【図４】同入力受信方法に沿って制御されるタッチスクリーン付きＰＤＡのタッチスクリーンの画面を示す説明図である。
【図５】同入力受信方法に沿って制御されるタッチスクリーン付きＰＤＡのタッチスクリーンの画面を示す説明図である。
【図６】第１実施形態のタッチスクリーンの入力受信方法の変形例を示すフローチャートである。
【図７】同入力受信方法に沿って制御されるタッチスクリーン付きＰＤＡのタッチスクリーンの画面を示す説明図である。
【図８】同入力受信方法に沿って制御されるタッチスクリーン付きＰＤＡのタッチスクリーンの画面を示す説明図である。
【図９】本発明の第２実施形態の入力受信方法を示すフローチャートである。
【図１０】同入力受信方法に沿って制御されるタッチスクリーン付きＰＤＡのタッチスクリーンの画面を示す説明図である。
【図１１】同入力受信方法に沿って制御されるタッチスクリーン付きＰＤＡのタッチスクリーンの画面を示す説明図である。
【図１２】同入力受信方法に沿って制御されるタッチスクリーン付きＰＤＡのタッチスクリーンの画面を示す説明図である。
【図１３】同入力受信方法に沿って制御されるタッチスクリーン付きＰＤＡのタッチスクリーンの画面を示す説明図である。
【図１４】本発明の第２実施形態の変形例のタッチスクリーンの画面を示す説明図である。
【図１５】本発明の第２実施形態の変形例のタッチスクリーンの画面を示す説明図である。
【図１６】本発明の第２実施形態の変形例のタッチスクリーンの画面を示す説明図である。
【図１７】本発明の第３実施形態の入力受信方法を示すフローチャートである。
【図１８】同入力受信方法に沿って制御されるタッチスクリーン付きＰＤＡのタッチスクリーンの画面を示す説明図である。
【図１９】同入力受信方法に沿って制御されるタッチスクリーン付きＰＤＡのタッチスクリーンの画面を示す説明図である。
【図２０】同入力受信方法に沿って制御されるタッチスクリーン付きＰＤＡのタッチスクリーンの画面を示す説明図である。
【図２１】本発明のタッチスクリーン付きＰＤＡの簡単な構成を示す概略構成図である。
【図２２】本発明の第２の実施形態のもう一つの変化例を示すフローチャートである。
【図２３】同入力受信方法に沿って制御されるタッチスクリーン付きＰＤＡのタッチスクリーンの画面を示す説明図である。
【図２４】同入力受信方法に沿って制御されるタッチスクリーン付きＰＤＡのタッチスクリーンの画面を示す説明図である。
【図２５】同入力受信方法に沿って制御されるタッチスクリーン付きＰＤＡのタッチスクリーンの画面を示す説明図である。
【符号の説明】
【００６７】
１  電子装置
１１  タッチスクリーン
１１０  キーボード
１１１  第１の所定キー
１１２  第２の所定キー
１１４  第１の感知区画
１１５  第２の感知区画
１１６  第３の感知区画
１１７  文字
１１８  拡大されたフレーム
１１９  ハイパーリンク
５００  タッチスクリーン手段
６００  プロセッサ手段
６０１  表示処理モジュール
６０２  感知判断モジュール
６０３  中央処理モジュール
【図１】
2009129443.tif 000003
【図２】
2009129443.tif 000004
【図３】
2009129443.tif 000005
【図４】
2009129443.tif 000006
【図５】
2009129443.tif 000007
【図６】
2009129443.tif 000008
【図７】
2009129443.tif 000009
【図８】
2009129443.tif 000010
【図９】
2009129443.tif 000011
【図１０】
2009129443.tif 000012
【図１１】
2009129443.tif 000013
【図１２】
2009129443.tif 000014
【図１３】
2009129443.tif 000015
【図１４】
2009129443.tif 000016
【図１５】
2009129443.tif 000017
【図１６】
2009129443.tif 000018
【図１７】
2009129443.tif 000019
【図１８】
2009129443.tif 000020
【図１９】
2009129443.tif 000021
【図２０】
2009129443.tif 000022
【図２１】
2009129443.tif 000023
【図２２】
2009129443.tif 000024
【図２３】
2009129443.tif 000025
【図２４】
2009129443.tif 000026
【図２５】
2009129443.tif 000027